(57)【要約】【課題】簡易な構成かつ簡単な操作で、送風機部における送風量の調整を可能とする薬剤散布車を提供する。【解決手段】薬剤散布車１は、回転軸線Ａの周りに回転駆動される送風ファン１１と、送風ファン１１を収容する筒状のファンケース１２とを有し、回転軸線Ａ方向におけるファンケース１２の一端に吸込口１３が形成され、回転軸線Ａ方向におけるファンケース１２の他端に吐出口１４が形成された送風機部１０と、送風機部１０のファンケース１２の外周側を覆うように円弧状に延びると共に、回転軸線Ａ方向に所定の幅を有する遮蔽カバー２０と、遮蔽カバー２０がファンケース１２の外周側を覆って吸込口１３に隣接する吸気空間Ｓ１の外周部を開放させる開放位置Ｐ１と、遮蔽カバー２０が吸気空間Ｓ１の外周部を覆う遮蔽位置Ｐ２と、に遮蔽カバー２０を移動可能に構成された移動機構３０と、を備える。【選択図】図１
2019037189.tif 000002
【特許請求の範囲】
【請求項１】
回転軸線（Ａ）の周りに回転駆動される送風ファン（１１）と、前記送風ファン（１１）を収容する筒状のファンケース（１２）とを有し、前記回転軸線（Ａ）方向における前記ファンケース（１２）の一端に吸込口（１３）が形成され、前記回転軸線（Ａ）方向における前記ファンケース（１２）の他端に吐出口（１４）が形成された送風機部（１０）と、
前記送風機部（１０）の前記ファンケース（１２）の外周側を覆うように円弧状に延びると共に、前記回転軸線（Ａ）方向に所定の幅を有する遮蔽カバー（２０）と、
前記遮蔽カバー（２０）が前記ファンケース（１２）の前記外周側を覆って前記吸込口（１３）に隣接する吸気空間（Ｓ１）の外周部を開放させる開放位置（Ｐ１）と、前記遮蔽カバー（２０）が前記吸気空間（Ｓ１）の前記外周部を覆う遮蔽位置（Ｐ２）と、に前記遮蔽カバー（２０）を移動可能に構成された移動機構（３０）と、を備える薬剤散布車（１）。
【請求項２】
前記移動機構（３０）は、前記遮蔽カバー（２０）を前記回転軸線（Ａ）方向に沿ってスライド可能に構成されている、請求項１に記載の薬剤散布車（１）。
【請求項３】
前記移動機構（３０）は、
前記ファンケース（１２）に固定されて前記回転軸線（Ａ）方向に沿って延びる少なくとも１つのレール（３１，３２）と、
前記遮蔽カバー（２０）に取り付けられて前記レール（３１，３２）に嵌合する少なくとも１つのローラ（３３，３４）と、を有する、請求項２に記載の薬剤散布車（１）。
【請求項４】
前記移動機構（３０）は、前記遮蔽カバー（２０）が、前記開放位置（Ｐ１）と、前記遮蔽位置（Ｐ２）と、前記開放位置（Ｐ１）および前記遮蔽位置（Ｐ２）との間の少なくとも１つの中間位置（Ｐ３）とにそれぞれ位置する状態で、前記遮蔽カバー（２０）の位置を固定可能なロック手段（４０）を更に有する、請求項１〜３のいずれか一項に記載の薬剤散布車（１）。
【発明の詳細な説明】
【技術分野】
【０００１】
本発明は、薬剤散布車に関する。
【背景技術】
【０００２】
薬剤散布車として、たとえば特許文献１に記載されるように、送風機の吸気口の中央部に配置された遮蔽板を備えるスピードスプレーヤが知られている。このスピードスプレーヤでは、遮蔽板が、扇状の薄板で構成された複数のフィンと、これらのフィンを連結する連結ピンとを備える。複数のフィンは、互いに重なり合うように設けられており、それぞれが中心軸の周りに回動自在である。この構成により、遮蔽板の面積が伸縮自在になっており、送風機における送風量が調整可能になっている。
【０００３】
このようなスピードスプレーヤ以外にも、送風量を調整可能とする技術として、たとえば、動翼の根元部に可動部を設け、動翼の角度を変更するものが知られている。また、トラクター等からの動力軸と送風機の動翼軸間に、変速機構を有する増速機を設け、増速比を切り替えることで動翼の回転数を変化させるものが知られている。扇状のフィンで吸気口を遮蔽する上記スピードスプレーヤ以外にも、半円板で吸気口を遮蔽するものも知られている。
【先行技術文献】
【特許文献】
【０００４】
【特許文献１】特開２００７−３１２６１５号公報
【発明の概要】
【発明が解決しようとする課題】
【０００５】
上記した特許文献１に記載のスピードスプレーヤでは、互いに重なり合うと共に連結された複数のフィンをずらしながら回動させる機構が採用されており、機構が複雑になっている。また、上記した他の技術に関しても、動翼の角度を変更するために動翼を囲む部品（ファンケースや防塵網など）を取り外した上に組み立てる必要があったり、複数の増速比を実現するために複雑な構造の増速機を用いる必要があったりする。また、半円板の開度を調整するために、調整の度に工具を用いた着脱作業などが必要となる。
【０００６】
本発明は、簡易な構成かつ簡単な操作で、送風機部における送風量の調整を可能とする薬剤散布車を提供することを目的とする。
【課題を解決するための手段】
【０００７】
本発明の一態様に係る薬剤散布車（１）は、回転軸線（Ａ）の周りに回転駆動される送風ファン（１１）と、送風ファン（１１）を収容する筒状のファンケース（１２）とを有し、回転軸線（Ａ）方向におけるファンケース（１２）の一端に吸込口（１３）が形成され、回転軸線（Ａ）方向におけるファンケース（１２）の他端に吐出口（１４）が形成された送風機部（１０）と、送風機部（１０）のファンケース（１２）の外周側を覆うように円弧状に延びると共に、回転軸線（Ａ）方向に所定の幅を有する遮蔽カバー（２０）と、遮蔽カバー（２０）がファンケース（１２）の外周側を覆って吸込口（１３）に隣接する吸気空間（Ｓ１）の外周部を開放させる開放位置（Ｐ１）と、遮蔽カバー（２０）が吸気空間（Ｓ１）の外周部を覆う遮蔽位置（Ｐ２）と、に遮蔽カバー（２０）を移動可能に構成された移動機構（３０）と、を備える。
【０００８】
この薬剤散布車（１）によれば、送風ファン（１１）が回転駆動され、吸気空間（Ｓ１）を介してファンケース（１２）の吸込口（１３）から空気が吸い込まれる。吸い込まれた空気は、吐出口（１４）から吐出され、噴霧された薬剤が拡散し散布される。ファンケース（１２）の外周側を覆う遮蔽カバー（２０）は、移動機構（３０）によって、吸気空間（Ｓ１）の外周部を開放させる開放位置（Ｐ１）と吸気空間（Ｓ１）の外周部を覆う遮蔽位置（Ｐ２）とに移動可能である。よって、吸込口（１３）から吸い込まれる空気の量すなわち送風機部（１０）における送風量が調整され得る。一定の形状を有する遮蔽カバー（２０）を移動させる構成であるので、構成が簡易であり、また遮蔽カバー（２０）の移動操作も簡単である。また、遮蔽カバー（２０）はファンケース（１２）の外周側に設けられるので、既存の送風機部（１０）に対して、遮蔽カバー（２０）および移動機構（３０）を後付けすることもできる。すなわち、風量調整機能の後付けも可能である。
【０００９】
移動機構（３０）は、遮蔽カバー（２０）を回転軸線（Ａ）方向に沿ってスライド可能に構成されてもよい。この場合、移動機構（３０）によって遮蔽カバー（２０）をスライドさせるだけでよいので、遮蔽カバー（２０）の移動操作がより一層簡単である。
【００１０】
移動機構（３０）は、ファンケース（１２）に固定されて回転軸線（Ａ）方向に沿って延びる少なくとも１つのレール（３１，３２）と、遮蔽カバー（２０）に取り付けられてレール（３１，３２）に嵌合する少なくとも１つのローラ（３３，３４）と、を有してもよい。この場合、ローラ（３３，３４）がレール（３１，３２）上を転がることにより、遮蔽カバー（２０）をスムーズにスライドさせることができる。
【００１１】
移動機構（３０）は、遮蔽カバー（２０）が、開放位置（Ｐ１）と、遮蔽位置（Ｐ２）と、開放位置（Ｐ１）および遮蔽位置（Ｐ２）との間の少なくとも１つの中間位置（Ｐ３）とにそれぞれ位置する状態で、遮蔽カバー（２０）の位置を固定可能なロック手段（４０）を更に有してもよい。この場合、所望の送風量となるように遮蔽カバー（２０）の位置を調整した後に、ロック手段（４０）によって遮蔽カバー（２０）の位置を固定することができる。これにより、所望の送風量を維持しつつ、薬剤散布車（１）を一定時間安定して運転することができる。開放位置（Ｐ１）、中間位置（Ｐ３）、および遮蔽位置（Ｐ２）の少なくとも３箇所で遮蔽カバー（２０）の位置を固定できるので、送風量の調整を多段階に行うことができる。
【発明の効果】
【００１２】
本発明によれば、簡易な構成かつ簡単な操作で、送風機部（１０）における送風量の調整が可能である。
【図面の簡単な説明】
【００１３】
【図１】本発明の一実施形態に係る薬剤散布車を示す斜視図である。
【図２】図１の薬剤散布車を示す側面図である。
【図３】図１中の送風機部および遮蔽カバーを示す斜視図である。
【図４】移動機構に設けられるロック手段を示す断面図である。
【図５】図５（ａ）は遮蔽カバーが開放位置に移動された状態を示す図、図５（ｂ）は遮蔽カバーが遮蔽位置に移動された状態を示す図である。
【発明を実施するための形態】
【００１４】
以下、本発明の実施形態について、図面を参照しながら説明する。本実施形態の薬剤散布車は、スピードスプレーヤとも呼ばれ、例えば果樹園等の圃場に薬液を散布する際に用いられるものである。なお、以下の説明において、「前」、「後」、「左」、「右」は、薬剤散布車を基準とした方向とする。
【００１５】
図１および図２に示されるように、薬剤散布車１は、フレーム３に取り付けられた左右の車輪５を備えており、前方に延びる接続部７を介してトラクター等の牽引車両に接続されて、牽引・走行可能な車両である。薬剤散布車１は、トラクターのＰＴＯ（Ｐｏｗｅｒ  Ｔａｋｅ  Ｏｆｆ）から動力を受ける入力軸６を前部に備えており、入力軸６を介して、ポンプ４および送風機部１０の送風ファン１１へ動力を伝達するように構成されている。薬剤散布車１は、フレーム３上に固定されたタンク２を備える。タンク２は、薬液を貯留する薬液タンク２ａと、手洗い用の清水を貯留する手洗い水タンク２ｂと、薬液タンク２ａを洗浄するための清水を貯留する洗浄水タンク２ｃとを有する。
【００１６】
薬剤散布車１は、ポンプ４の駆動により薬液タンク２ａから薬液を圧送し、薬剤散布車１の後部に設けられた複数の噴霧ノズル８から薬液を噴霧する。複数の噴霧ノズル８は、薬剤散布車１の後端部に設けられた吐出空間Ｓ２の外周部に沿って、たとえば円弧状に配列されている。薬剤散布車１は、タンク２の後方に、噴霧ノズル８から噴霧された薬液を放射状に拡散させるための送風機部１０を備える。薬剤散布車１は、トラクターによって牽引されながら走行し、圃場に向けて放射状に薬液を散布する。入力軸６と送風機部１０との間には、送風ファン１１を駆動するためのユニバーサルシャフトやミッション（いずれも図示せず）等が設けられる。
【００１７】
続いて、送風機部１０について説明する。送風機部１０は、前後方向に延びる回転軸線Ａの周りに回転駆動される送風ファン１１と、送風ファン１１に対して所定の隙間を有するように送風ファン１１を収容する筒状のファンケース１２とを備える。ファンケース１２は回転軸線Ａに沿って配置されるよう、たとえばフレーム３上に固定されている。ファンケース１２の前端には、略円形の吸込口１３が形成され、ファンケース１２の後端には、略円形の吐出口１４が形成されている。送風機部１０は、吸込口１３から空気を吸い込み、吐出口１４から所定の風量および風圧をもって、空気を吐出する。
【００１８】
ファンケース１２の吸込口１３とタンク２の後面２ｄとの間には、吸気空間Ｓ１が形成されている。吸込口１３に隣接する吸気空間Ｓ１は、概ね円柱状を呈する空間であり、吸込口１３に相当する直径を有すると共に、前後方向（すなわち回転軸線Ａ方向）に所定の長さを有する。送風機部１０によって吸い込まれる空気は、吸込口１３に連通する吸気空間Ｓ１を通過する。より詳細には、吸い込まれる空気は、上方および左右の側方から、吸気空間Ｓ１の外周部を横切って吸込口１３を通り、ファンケース１２内に集められる。
【００１９】
ファンケース１２の吐出口１４の後方には、鉛直面に沿って立設された噴頭板１６が設けられている。噴頭板１６は、回転軸線Ａに略直交しており、吐出口１４と噴頭板１６との間には、吐出空間Ｓ２が形成されている。吐出口１４に隣接する吐出空間Ｓ２は、概ね円柱状を呈する空間であり、吐出口１４に相当する直径を有すると共に、前後方向（すなわち回転軸線Ａ方向）に所定の長さを有する。送風機部１０によって吐出された空気は、吐出口１４に連通する吐出空間Ｓ２に流入すると共に噴頭板１６に衝突して、上方および左右の側方に向けて放射状に噴出される。
【００２０】
吐出空間Ｓ２の外周部に沿って、上記した複数の噴霧ノズル８が配列されている。たとえば、噴霧ノズル８は、左右の両側方においてそれぞれ半円状に配列されてもよい。このような構成により、噴霧ノズル８は、吐出される空気の流れの中に配置される。各噴霧ノズル８の噴霧口の向きは、放射方向の外方（径方向外方）に向けられており、噴霧ノズル８から噴霧された薬液は、噴出する空気流に同伴されて放射状に拡散する。
【００２１】
本実施形態の薬剤散布車１では、前後方向にスライドする遮蔽カバー２０が備わっており、この遮蔽カバー２０の位置をワンタッチで調整・保持して送風量を調整することが可能になっている。しかも、送風機部１０の内部の構造に対する改造等は不要であり、簡易な構成で、送風量の調整が可能になっている。以下、送風機部１０における送風量の調整機構について説明する。
【００２２】
ファンケース１２の外周側には、ファンケース１２を覆うようにして円弧状に延びる遮蔽カバー２０が設けられている。遮蔽カバー２０は、たとえば、下部のみが切り欠かれた円環形状をなす。遮蔽カバー２０は、前後方向に所定の長さ（幅）を有する。この前後方向の長さは、吸気空間Ｓ１に相当する長さであってもよい。その場合、遮蔽カバー２０は、吸気空間Ｓ１の略全域を覆うことができる。なお、遮蔽カバー２０は、吸気空間Ｓ１の一部のみを覆うことができるようなサイズを有してもよい。
【００２３】
遮蔽カバー２０についてより詳しく説明する。図３に示されるように、遮蔽カバー２０は、ファンケース１２の頂部に沿って前後方向に延在する上部ブラケット２３と、上部ブラケット２３に上端が接続された左右一対の上部カバー２１と、ファンケース１２の側部に沿って前後方向に延在し上部カバー２１の下端が接続された左右一対の側部ブラケット２４と、一対の側部ブラケット２４に上端が接続された左右一対の下部カバー２２とを有する。これらの上部カバー２１および下部カバー２２は、等しい曲率半径を有する板部材であってもよい。上部カバー２１および下部カバー２２は、上部ブラケット２３および側部ブラケット２４を介して一体化されている。遮蔽カバー２０は、ファンケース１２の外周面に沿って延在しており、その外周面に対して所定の隙間を有する。
【００２４】
薬剤散布車１は、遮蔽カバー２０がファンケース１２の外周側を覆って吸気空間Ｓ１の外周部を開放させる開放位置Ｐ１（図５（ａ）参照）と、遮蔽カバー２０がファンケース１２からずらされて吸気空間Ｓ１の外周部を覆う遮蔽位置Ｐ２（図５（ｂ）参照）と、に遮蔽カバー２０を移動可能に構成された移動機構３０を備える。
【００２５】
図３および図４に示されるように、上部ブラケット２３の内部には、左右方向に延びる軸線を中心に回転自在な４つの上部ローラ３３が取り付けられている。より詳細には、上部ブラケット２３の前部に一対の上部ローラ３３が取り付けられており、上部ブラケット２３の後部に別の一対の上部ローラ３３が取り付けられている。これらの上部ローラ３３は、たとえばファンケース１２の後端部１２ａにレール取付板３６を介して固定された平行な２本の上部レール３１の上に嵌合している。２本の上部レール３１は、ファンケース１２の外表面に沿って前後方向に延在している。これらの上部レール３１は、等しい高さをもって、ファンケース１２の後端部１２ａのみに固定されて片持ち状に設置されてもよいし、上部レール３１の前端がタンク２等に固定されて両持ち状に設置されてもおい。上部レール３１は、上部レール３１に載置される遮蔽カバー２０を支持し得る強度を有する。なお、図３では、上部ブラケット２３および側部ブラケット２４の一部が破断されて図示されている。
【００２６】
図３に示されるように、各側部ブラケット２４の内部には、上下方向に延びる軸線を中心に回転自在な２つの側部ローラ３４が取り付けられている。より詳細には、側部ブラケット２４の前部に１つの側部ローラ３４が取り付けられており、側部ブラケット２４の後部に別の１つの側部ローラ３４が取り付けられている。これらの側部ローラ３４は、たとえばファンケース１２の後端部１２ａにレール取付板３７を介して固定された１本の側部レール３２の上に嵌合している。側部レール３２は、ファンケース１２の外表面に沿って前後方向に延在している。側部レール３２は、ファンケース１２の後端部１２ａのみに固定されて片持ち状に設置されてもよいし、側部レール３２の前端がタンク２やフレーム３等に固定されて両持ち状に設置されてもおい。側部レール３２は、上部レール３１と協働で、側部レール３２に載置される遮蔽カバー２０を支持し得る強度を有する。
【００２７】
なお、側部レール３２の下側に側部ローラ３４が配置されてもよい。この場合でも、側部ローラ３４は側部レール３２に下方から嵌合する。この場合には、遮蔽カバー２０の上部ローラ３３および側部ローラ３４によって、上部レール３１および側部レール３２が上下から挟み込まれる構造となる。
【００２８】
以上の構成を有する遮蔽カバー２０および移動機構３０によれば、遮蔽カバー２０は前後方向に滑らかにスライドできるようになっており、前後方向の任意の位置に移動可能である。なお、上部レール３１が片持ち状に設置される場合において、上部レール３１の前端に、板部材等からなるストッパ３８（図３参照）が設けられてもよい。ストッパ３８は、上部レール３１の軌道上に設けられており、上部ローラ３３の前方への移動を制止する。これにより、遮蔽カバー２０の位置を調整する際における遮蔽カバー２０の上部レール３１からの脱落が防止されている。このようなストッパが側部レール３２の前端に設けられてもよい。
【００２９】
遮蔽カバー２０が開放位置Ｐ１に移動すると、吸気空間Ｓ１の大部分または全部が開放され、吸気空間Ｓ１の周囲と吸気空間Ｓ１とを連通する空気の流路が最大となる。遮蔽カバー２０が遮蔽位置Ｐ２に移動すると、吸気空間Ｓ１の大部分または全部が閉鎖され、吸気空間Ｓ１の周囲と吸気空間Ｓ１とを連通する空気の流路が最小となる。遮蔽カバー２０が、開放位置Ｐ１と遮蔽位置Ｐ２との間の任意の中間位置Ｐ３（図３参照）に移動すると、吸気空間Ｓ１の周囲と吸気空間Ｓ１とを連通する空気の流路は、上記した最大値と最小値の中間の大きさとなる。遮蔽カバー２０を備える薬剤散布車１では、遮蔽カバー２０の移動によって、送風機部１０の吸込側の空気の流路の大きさ（厳密には流れ方向に直交する断面の断面積）が調整され、その結果として、送風量が調整される。
【００３０】
図３および図４に示されるように、移動機構３０は、遮蔽カバー２０の位置を複数の位置で固定可能なロック手段４０を更に備える。ロック手段４０は、遮蔽カバー２０が、開放位置Ｐ１と、遮蔽位置Ｐ２と、それらの中間の中間位置Ｐ３とにそれぞれ位置する状態で、遮蔽カバー２０の位置を固定する。
【００３１】
図４を参照して詳細に説明すると、上部ブラケット２３は、下方に向けて開放された断面Ｃ字状の上部材２３ａと、上方に向けて開放された断面Ｃ字状の下部材２３ｂとが重ね合わされて、これらの側板部をローラ軸４７が貫通した状態で、締結部材４８により共締めされた構造を有する。上部材２３ａと上部材２３ａは直方体状の空間を内部に形成しており、当該空間内に２本の上部レール３１が挿通されている。上記した一対の上部ローラ３３は、当該空間内に配置されて、上部レール３１上に載置される。
【００３２】
ロック手段４０は、２本の上部レール３１の間に配置されてこれらに平行に延在する平板状のガイドバー４４（図３も参照）と、上部材２３ａの天板部に形成された円形の貫通孔２３ｃに挿通されるロックピン４１とを有する。ガイドバー４４は、たとえば上部レール３１と同様に取り付けられており、その基端部が、レール取付板３６を介してファンケース１２の後端部１２ａに固定されている。ロックピン４１のまっすぐな軸部４１ｅには、上部材２３ａの天板部よりも下方の部分において、圧縮コイルばねであるばね４３が設けられている。軸部４１ｅの下部には座板部４２が固着されており、ばね４３は、軸部４１ｅに巻き付けられて自由長よりも圧縮された状態で、上部ブラケット２３の上部材２３ａと座板部４２との間に設けられている。すなわち、ばね４３の上端４３ａは上部材２３ａの天板部の裏面に当接しており、下端４３ｂは座板部４２の上面に当接している。
【００３３】
ばね４３は、ロックピン４１を下方に付勢する。言い換えれば、ロックピン４１は、ばね４３による付勢力を受けながら、上下方向の所定範囲に移動可能である。上部ブラケット２３よりも上部に突出するロックピン４１のフック部４１ｃは、Ｕ字状に曲がっている。ロックピン４１の基端４１ｄは、上部材２３ａの天板部の表面に当接している。一方、水平方向に延在するガイドバー４４には、厚み方向に貫通する複数の円形の位置決め孔４６が形成されている。図３に示されるように、複数の位置決め孔４６は、所定の間隔をもって形成されている。図４に示されるように、この位置決め孔４６に、ロックピン４１の係合部４１ａが挿入され、その先端４１ｂがガイドバー４４から下方に突出する。これにより、上部ブラケット２３すなわち遮蔽カバー２０の前後方向における位置決め・固定がなされる。この状態で、ばね４３が圧縮されてロックピン４１はばね４３による付勢力を受けており、かつ、ロックピン４１の基端４１ｄは上部材２３ａの天板部に当接する。
【００３４】
ロック手段４０を用いて遮蔽カバー２０の位置を調整する際には、ロックピン４１のフック部４１ｃを引き上げてロック状態をいったん解除し、遮蔽カバー２０を前方または後方に移動させる。所望の送風量が得られるような位置で遮蔽カバー２０を停止させ、ロックピン４１の係合部４１ａを位置決め孔４６に挿入し、遮蔽カバー２０を固定する。なお、ガイドバー４４に形成された最も後ろ側の位置決め孔４６が、遮蔽カバー２０の開放位置Ｐ１に対応し（図５（ａ）参照）、ガイドバー４４に形成された最も前側の位置決め孔４６が、遮蔽カバー２０の遮蔽位置Ｐ２に対応する（図５（ｂ）参照）。それらの中間に形成された１つ又は複数の位置決め孔４６は、１つ又は複数の中間位置Ｐ３に対応する。
【００３５】
ロックピン４１はばね４３によって押し付けられているので、振動などで係合状態が外れることはない。ロックピン４１の付勢および押付け構造は、上記とは異なる構造であってもよい。たとえば、ロックピン４１は、ばね４３によって付勢されてガイドバー４４に押し付けられてもよい。
【００３６】
本実施形態の薬剤散布車１によれば、送風ファン１１が回転駆動され、吸気空間Ｓ１を介してファンケース１２の吸込口１３から空気が吸い込まれる。吸い込まれた空気は、吐出口１４から吐出され、噴霧された薬剤が拡散し散布される。ファンケース１２の外周側を覆う遮蔽カバー２０は、移動機構３０によって、吸気空間Ｓ１の外周部を開放させる開放位置Ｐ１と吸気空間Ｓ１の外周部を覆う遮蔽位置Ｐ２とに移動可能である。よって、吸込口１３から吸い込まれる空気の量すなわち送風機部１０における送風量が調整される。一定の形状を有する遮蔽カバー２０を移動させる構成であるので、構成が簡易であり、また遮蔽カバー２０の移動操作も簡単である。吸気空間Ｓ１を遮蔽する遮蔽カバー２０のみが必要なだけであり、従来の技術のように、複雑な機構を持つ部品を必要としない。また、遮蔽カバー２０の位置の調整に工具等は不要である。さらには、遮蔽カバー２０および移動機構３０がファンケース１２の外周側に設けられ、（レールの取付部を除き）ファンケース１２に対して干渉する部材が無いので、既存の送風機部１０に対して、遮蔽カバー２０および移動機構３０を後付けすることもできる。すなわち、風量調整機能の後付けが可能である。
【００３７】
移動機構３０が、遮蔽カバー２０を回転軸線Ａ方向に沿ってスライド可能に構成されている。移動機構３０によって遮蔽カバー２０をスライドさせるだけでよいので、遮蔽カバー２０の移動操作がより一層簡単になっている。
【００３８】
また、移動機構３０において、上部ローラ３３が上部レール３１上を転がり、側部ローラ３４が側部レール３２上を転がることにより、遮蔽カバー２０をスムーズにスライドさせることができる。
【００３９】
また、遮蔽カバー２０がロック手段４０を備える構成によれば、所望の送風量となるように遮蔽カバー２０の位置を調整した後に、ロック手段４０によって遮蔽カバー２０の位置を固定することができる。これにより、所望の送風量を維持しつつ、薬剤散布車１を一定時間安定して運転することができる。開放位置Ｐ１、中間位置Ｐ３、および遮蔽位置Ｐ２の少なくとも３箇所（中間位置Ｐ３が複数設けられる場合は計４箇所以上）で遮蔽カバー２０の位置を固定できるので、送風量の調整をワンタッチで多段階に行うことができる。
【００４０】
以上、本発明の実施形態について説明したが、本発明は上記実施形態に限られない。たとえば、ロック手段４０は、ロックピン４１とガイドバー４４に形成された位置決め孔４６とによって構成される場合に限られない。たとえば、遮蔽カバー２０側（移動側）に突起または凹部が設けられ、送風ファン１１側（固定側）に、それらに係合可能な凹部または突起が設けられてもよい。ロック手段４０が省略されてもよい。
【００４１】
移動機構３０において、上部のレールとローラ、および、側部のレールとローラのいずれか一方が省略されてもよい。遮蔽カバー２０をスライドさせる移動機構３０は、レールとローラとを含む場合に限られない。たとえば、移動機構は、前後方向に延びるリブと溝部とが嵌合し、リブによって遮蔽カバー２０が案内される等の態様であってもよい。ロックピン４１および位置決め孔４６と同様の構造が側部のレールに設けられてもよい。
【００４２】
移動機構は、遮蔽カバー２０を回転軸線Ａ方向に沿ってスライドさせる場合に限られない。移動機構は、たとえば、遮蔽カバー２０を支持するリンク機構等を備え、そのリンク機構等により遮蔽カバー２０を前後に移動させるように構成されてもよい。
【００４３】
また上記実施形態では、ファンケース１２の前端に吸込口１３が形成され、ファンケース１２の後端に吐出口１４が形成される場合について説明したが、前後方向における位置関係がそれと逆であってもよい。すなわち、ファンケース１２の後端に吸込口１３が形成されて、ファンケース１２の後ろ側に吸気空間Ｓ１が形成され、ファンケース１２の前端に吐出口１４が形成されて、ファンケース１２の前側に吐出空間Ｓ２が形成されてもよい。この場合、遮蔽カバー２０は、移動機構によって、ファンケース１２を覆う開放位置Ｐ１と、それより後方で吸気空間Ｓ１の外周部を覆う遮蔽位置Ｐ２とに移動させられる。薬液は、タンク２と送風機部１０との間から放射状に拡散され、散布される。
【００４４】
薬剤散布車は、上記したような牽引式スピードスプレーヤに限られず、たとえば乗用式のスピードスプレーヤであってもよい。本発明は、送風機部を備えるあらゆる薬剤散布車（薬剤散布機）に適用可能である。
【符号の説明】
【００４５】
１…薬剤散布車、２…タンク、８…噴霧ノズル、１０…送風機部、１１…送風ファン、１２…ファンケース、１３…吸込口、１４…吐出口、２０…遮蔽カバー、２１…上部カバー、２２…下部カバー、２３…上部ブラケット、２４…側部ブラケット、３０…移動機構、３１…上部レール、３２…側部レール、３３…上部ローラ、３４…側部ローラ、４０…ロック手段、４１…ロックピン、４２…座板部、４３…ばね、４４…ガイドバー、４６…位置決め孔、Ａ…回転軸線、Ｓ１…吸気空間、Ｓ２…吐出空間。
【図１】
2019037189.tif 000003
【図２】
2019037189.tif 000004
【図３】
2019037189.tif 000005
【図４】
2019037189.tif 000006
【図５】
2019037189.tif 000007